(57)【要約】【課題】ユーザの希望に沿った給電を行う仕組みを提供することを目的とする。【解決手段】給電可能な外部デバイスを表示する表示制御手段と、ユーザから、表示制御手段により表示された外部デバイスの中から給電対象の外部デバイスの選択入力を受け付ける入力受付手段と、選択入力された外部デバイスを給電対象として特定する給電対象デバイス特定手段とを有することによって課題を解決する。【選択図】図２
2014135862.tif 000002
【特許請求の範囲】
【請求項１】
給電可能な外部デバイスを表示する表示制御手段と、
ユーザから、表示された外部デバイスの中から給電対象の外部デバイスの選択入力を受け付ける入力受付手段と、
選択入力された前記外部デバイスを給電対象として特定する給電対象デバイス特定手段と、
を有することを特徴とする給電装置。
【請求項２】
前記給電対象デバイス特定手段により給電対象として特定された前記外部デバイスに対し、給電を行う給電手段をさらに有することを特徴とする請求項１に記載の給電装置。
【請求項３】
前記外部デバイスから情報を受信する受信手段と、
前記受信手段が前記外部デバイスから情報を受信した場合に、前記情報の送信元の前記外部デバイスを給電可能な前記外部デバイスとして特定する給電可能デバイス特定手段と
をさらに有し、
前記表示制御手段は、前記給電可能デバイス特定手段により特定された前記外部デバイスを給電可能な前記外部デバイスとして表示することを特徴とする請求項１又は２に記載の給電装置。
【請求項４】
給電可能な前記外部デバイスが予め設定された条件に合致する場合に、前記給電手段による給電の際の電力量を変更する電力量変更手段をさらに有し、
前記給電手段は、前記電力量変更手段による変更後の電力量の給電を行うことを特徴とする請求項２に記載の給電装置。
【請求項５】
前記入力受付手段は、ユーザから変更後の電力量の値の入力をさらに受け付け、
前記電力量変更手段は、ユーザにより入力された値に前記電力量を変更することを特徴とする請求項４に記載の給電装置。
【請求項６】
前記表示制御手段は、給電可能な外部デバイスが前記条件に合致する場合に、前記給電手段による給電の際の電力量の変更の入力を受け付ける変更画面を表示し、
前記入力受付手段は、前記変更画面において、ユーザにより入力された値を前記電力量として変更の入力を受け付けることを特徴とする請求項５に記載の給電装置。
【請求項７】
給電可能な外部デバイスを表示する表示制御手段と、
ユーザから、表示された外部デバイスの中から給電対象の外部デバイスの選択入力を受け付ける入力受付手段と、
選択入力された前記外部デバイスを給電対象として特定する給電対象デバイス特定手段と、
を有することを特徴とする画像形成装置。
【請求項８】
給電装置が実行する給電方法であって、
給電可能な外部デバイスを表示する表示制御ステップと、
ユーザから、表示された外部デバイスの中から給電対象の外部デバイスの選択入力を受け付ける入力受付ステップと、
選択入力された前記外部デバイスを給電対象として特定する給電対象デバイス特定ステップと、
を含むことを特徴とする給電方法。
【請求項９】
画像形成装置が実行する給電方法であって、
給電可能な外部デバイスを表示する表示制御ステップと、
ユーザから、表示された外部デバイスの中から給電対象の外部デバイスの選択入力を受け付ける入力受付ステップと、
選択入力された前記外部デバイスを給電対象として特定する給電対象デバイス特定ステップと、
を含むことを特徴とする給電方法。
【請求項１０】
コンピュータを、
給電可能な外部デバイスを表示する表示制御手段と、
ユーザから、表示された外部デバイスの中から給電対象の外部デバイスの選択入力を受け付ける入力受付手段と、
選択入力された前記外部デバイスを給電対象として特定する給電対象デバイス特定手段と
して機能させるためのプログラム。
【発明の詳細な説明】
【技術分野】
【０００１】
本発明は、給電装置、画像形成装置、給電方法及びプログラムに関する。
【背景技術】
【０００２】
一般的に、携帯電話やスマートフォン、タブレットＰＣ、ノートＰＣなどの携帯端末は、バッテリを装備し、その電源ケーブルを廃することにより、携帯性を高め、利便性を追求している。さらに、コネクタ等の接続手段を介さず、非接触（ワイヤレス）でバッテリの充電を行う充電装置に関する技術も知られている。
給電装置に関する技術としては、例えば特許文献１には、受電装置の位置の変化を検出し、変化のあった受電装置の充電状態を、給電装置の表示部に表示する装置が開示されている。
【０００３】
また、ＭＦＰ（Ｍｕｌｔｉｆｕｎｃｔｉｏｎ  Ｐｅｒｉｐｈｅｒａｌ）は、上述のような携帯端末と連携することにより、ワイヤレスネットワークを介し、所望のプリント出力を得たり、スキャナ入力を行ったりできるようになりつつある。
さらに、ＭＦＰと携帯端末を連携させた技術としては、ＭＦＰを給電ポイントとしたワイヤレス給電により携帯端末に電力を供給する技術も知られている。この技術においては、携帯端末はＭＦＰと連携している間は、バッテリの消耗を意識することなく、処理を行うことができる。
【先行技術文献】
【特許文献】
【０００４】
【特許文献１】特開２０１２−１６１７０号公報
【発明の概要】
【発明が解決しようとする課題】
【０００５】
従来のワイヤレス給電の技術においては、給電装置は、給電ゾーンにある受電装置の識別番号や、給電プロトコルを自動で取得し、給電リンクが確立した場合に、自動的にワイヤレス給電を行う。
しかしながら、ＭＦＰを給電ポイントとした場合は、ＭＦＰと連携目的で近づいた携帯端末のユーザは、必ずしも給電を希望しているとは限らない。すなわち、従来のワイヤレス給電の技術においては、給電ポイントにおいて、ユーザが希望しないワイヤレス給電が行われてしまうという問題があった。
【０００６】
本発明はこのような問題点に鑑みなされたもので、ユーザの希望に沿った給電を行う仕組みを提供することを目的とする。
【課題を解決するための手段】
【０００７】
そこで、本発明は、給電装置であって、給電可能な外部デバイスを表示する表示制御手段と、ユーザから、表示された外部デバイスの中から給電対象の外部デバイスの選択入力を受け付ける入力受付手段と、選択入力された前記外部デバイスを給電対象として特定する給電対象デバイス特定手段と、を有することを特徴とする。
【発明の効果】
【０００８】
本発明によれば、ユーザの希望に沿った給電を行う仕組みを提供することができる。
【図面の簡単な説明】
【０００９】
【図１】ＭＦＰと外部デバイスとを示す図である。
【図２】ＭＦＰを示す図である。
【図３】データテーブルを示す図である。
【図４】給電処理を示す図である。
【図５】フレームを示す図である。
【図６】関連付け期間における処理を示す図である。
【図７】転送準備期間における処理を示す図である。
【図８】電力転送期間における処理を示す図である。
【図９】フレーム割り付け結果の一例を示す図である。
【図１０】操作部を示す図である。
【図１１】表示データの一例を示す図である。
【図１２】表示データ画面の表示例を示す図である。
【図１３】表示データの一例を示す図である。
【図１４】表示データ画面の表示例を示す図である。
【図１５】表示データの一例を示す図である。
【図１６】表示データ画面の表示例を示す図である。
【図１７】表示処理を示す図である。
【発明を実施するための形態】
【００１０】
以下、本発明の実施形態について図面に基づいて説明する。
図１は、給電装置を備える画像形成装置としてのデジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）１０１による給電の様子を示す図である。
ＭＦＰ１０１は、外部デバイス１０２，１０３，１０４に対しワイヤレス給電を行う。本実施形態にかかるＭＦＰ１０１は、ユーザによるワイヤレス給電のモニタ及び制御のための操作手段を備えたシステムである。
図１に示す外部デバイス１０２は、デジタルカメラである。また、外部デバイス１０３，１０４は、スマートフォンである。なお、ＭＦＰ１０１が給電可能な外部デバイスの数及び種類は実施形態に限定されるものではない。
【００１１】
図１に示すように、ＭＦＰ１０１は、ワイヤレス給電の給電ポイントとなる。図１に示す通信可能領域１０５は、ＭＦＰ１０１とのワイヤレス通信が可能な領域である。すなわち、外部デバイスは、通信可能領域１０５内に位置する場合に、ＭＦＰ１０１との通信を行うことができる。
図１に示す給電可能領域１０６は、ＭＦＰ１０１によるワイヤレス給電が可能な領域である。すなわち、外部デバイスは、給電可能領域１０６内に位置する場合に、ＭＦＰ１０１による適切な量のワイヤレス給電を受けることができる。給電可能領域１０６は、ＭＦＰ１０１の給電の際の電力量、すなわち給電能力により定まる範囲である。
【００１２】
図１に示す例においては、外部デバイス１０２，１０４は、給電可能領域１０６の外側であって、かつ通信可能領域１０５内に位置している。したがって、外部デバイス１０２，１０４は、ＭＦＰ１０１と通信のみを行っている。一方、外部デバイス１０３は、給電可能領域１０６内に位置している。したがって、外部デバイス１０３は、ＭＦＰ１０１からの給電を受けることができる。
本実施形態にかかるＭＦＰ１０１は、ユーザからの指示に従い、給電対象の外部デバイスを特定する。さらに、ＭＦＰ１０１は、外部デバイスとの通信により、外部デバイスの状態を示すステータス情報を取得し、ステータス情報に基づいて、給電可能領域１０６の範囲を変更する。
【００１３】
図２は、ＭＦＰ１０１の構成を示す図である。ＭＦＰ１０１は、コントローラユニット２０３と、スキャナ２０１と、プリンタ２０２と、操作部２１１とを有している。スキャナ２０１は、原稿台に載置された原稿の情報を読み取る手段を有している。また、図示はしないが、ＭＦＰ１０１は、スキャナ２０１上にドキュメントフィーダーを載置できる。これにより、ＭＦＰ１０１は、複数のドキュメントを読み取る際、効率よく読み込むことができる。
プリンタ２０２は、印刷機能を有している。プリンタ２０２は、スキャナ２０１により読み込まれた画像、ＩＰネットワーク網２１３より転送される画像、及びＨＤＤ２１７に格納されている画像を印刷出力する手段を有している。
【００１４】
操作部２１１は、ユーザインタフェースとして機能する。操作部２１１は、ユーザによる入力手段と、情報を表示するための表示手段とを有している。入力手段は、例えばユーザが指示データ等を入力するためのキーボードなどの手段や、ポインティングデバイス等の領域を指定する手段である。また、表示手段は、文書情報等を表示する表示画面等である。
コントローラユニット２０３は、スキャナインターフェース（Ｉ／Ｆ）２０４と、プリンタインターフェース（Ｉ／Ｆ）２０５と、画像処理部２０６と、制御部２０７と、操作制御部２０９とを有している。コントローラユニット２０３はまた、ストレージ手段として、ＭＦＰ１０１内部に設置されるＨＤＤ２１７とハードディスクコントローラ２１６とを有している。コントローラユニット２０３はまた、ネットワークインターフェース（Ｉ／Ｆ）２１０と、バス２１２とを有している。ネットワークＩ／Ｆ２１０は、外部とのインターフェース部である。バス２１２は、コントローラユニット２０３の各部を制御し、接続する。ＨＤＤ２１７は、スキャン画像やプリント画像等、各種データの一時保管に用いるストレージである。
【００１５】
画像処理部２０６は、スキャナ２０１にて読み込まれた画像を各ユニットに転送するための最適な画像処理を行う。画像処理部２０６は、例えば、画像をＨＤＤ２１７に転送する。画像処理部２０６はまた、ネットワークＩ／Ｆ２１０を介しスキャン画像を転送する。画像処理部２０６は、画像転送の際に、最適な圧縮処理を行う。
また、画像処理部２０６は、プリンタ２０２よりプリント出力を得るための画像処理を行う。プリント画像ソースとしては、スキャナ２０１より読み込まれる画像、ＨＤＤ２１７に格納されている画像などがある。また、プリント画像ソースとしては、ＩＰネットワーク網２１３及びネットワークＩ／Ｆ２１０を介して転送されるプリント画像等がある。画像処理部２０６は、各々の画像ソースから、ドキュメントを最適にプリント出力できるように、伸長処理や、解像度変換などの各種画像処理を行う。
【００１６】
制御部２０７は、バス２１２を介して接続される画像処理部２０６と、スキャナＩ／Ｆ２０４と、プリンタＩ／Ｆ２０５とを制御し、画像のハンドリングを行う。操作制御部２０９は、操作部２１１をコントロールし、ユーザの指示データを制御部２０７にて指示制御できる形に変換する。
電源供給部２２１は、ＡＣ（Ａｌｔｅｒｎａｔｉｎｇ  Ｃｕｒｒｅｎｔ）電源（商用電源）にコンセント接続されＭＦＰ１０１全体に電源を供給する。パワーユニット２２０は、電源供給部２２１から供給されるＡＣ電圧をＤＣ（Ｄｉｒｅｃｔ  Ｃｕｒｒｅｎｔ）電圧に変換し、各負荷の電源として供給する。図示はしないが、パワーユニット２２０には、メインパワーＳＷが含まれている。
【００１７】
給電通信部２２２は、ＭＦＰ１０１が電力を供給する外部デバイス（受電デバイス）へワイヤレス給電を行う際の、通信によるデバイスの識別や認証を行うための通信部である。給電通信部２２２には、通信部アンテナ２２３が接続されている。給電通信部２２２は、近傍無線通信等の無線通信方式よって外部デバイスとの無線通信を行う。
ワイヤレス給電部２２４は、外部デバイスに対して非接触による給電を行う電源供給部である。ワイヤレス給電部２２４には、給電部アンテナ２２５が接続されている。ワイヤレス給電部２２４は、給電部アンテナ２２５を介し、電気エネルギーを供給する。非接触給電の方法としては、電磁誘導方式、電界／磁界共鳴方式、電波受信方式などの方法が挙げられる。なお、ユーザは、操作部２１１の操作により、ワイヤレス給電部２２４が外部デバイスに給電する電力量、すなわち給電能力を、指定又は変更することができる。
【００１８】
制御部２０７は、コントローラユニット２０３の全体制御を司る。制御部２０７は、内部にコントロールの中核となるＣＰＵ２１４を実装している。制御部２０７はまた、ＣＰＵ２１４が実施する制御プログラムＲＯＭや一時利用メモリとするワークＲＡＭ等のメモリ２０８を実行している。
なお、以下に示す処理は、ＣＰＵ２１４がメモリ２０８に格納されているプログラムを読み出し、これを実行することにより、一時利用メモリとして使用されるワークＲＡＭ等のメモリ２０８との協働により実現されるものである。
また、以下に示す処理における、外部デバイスの処理は、ＭＦＰ１０１と同様に、外部デバイスが備えるＣＰＵがメモリに格納されているプログラムを読み出し、これを実行することにより、実現されるものである。
【００１９】
図３は、メモリ２０８に記憶されるデータテーブルを模式的に示す図である。データテーブルは、後述する処理によりＣＰＵ２１４により参照され、また更新される。データテーブルのデバイスＩＤは、ＭＦＰ１０１が給電可能な外部デバイス、すなわち給電可能デバイスの固有のＩＤである。
後述する給電処理の他、ＩＰネットワーク網２１３を介し、プリントやスキャンなどにおいて、ＭＦＰ１０１が外部デバイスと連携する場合に、ＭＦＰ１０１は、外部デバイスからデバイスＩＤを受信する。これにより、ＭＦＰ１０１は、いずれの外部デバイスと連携を行っているかを特定することができる。
【００２０】
給電周波数は、ワイヤレス給電部２２４から外部デバイスに対して、給電を行う場合の電力の共振周波数である。この周波数を変えることにより、特定の外部デバイスへワイヤレス給電を行うことができる。図３に示す給電周波数の単位は、ＫＨｚである。
要求電力は、外部デバイスがワイヤレス給電を受ける際に、要求する電力量を示す。図３に示す要求電力の単位は、ｍＷ／ｍｉｎである。要求電力は、外部デバイスが１分間に受け取る電力量である。なお、ＣＰＵ２１４は、後述する処理（図７）のＳ６０２において、給電周波数及び要求電力を外部デバイスから取得し、Ｓ６０３において、データテーブルに書き込む。
【００２１】
エリアは、外部デバイスが給電可能領域１０６の外側及び内側のいずれに位置するかを示す情報である。ＩＮは、外部デバイスが給電可能領域１０６の内側に位置することを示す。ＯＵＴは、外部デバイスが給電可能領域１０６の外側に位置することを示す。エリアは、後述する処理（図８）のＳ７０６において、ＣＰＵ２１４が外部デバイスから取得するデータである。
バッテリ充電状況は、外部デバイスに付属するバッテリの充電量である。後述する処理（図８）のＳ７０６において、ＣＰＵ２１４が外部デバイスから取得するデータである。図３に示す充電量の単位は、％である。充電量は、満充電の時１００％となる。
【００２２】
給電フラグは、給電中又は給電停止を示すフラグである。処理については後述するが、給電停止となった場合には、ＣＰＵ２１４により、給電フラグにＳｔｏｐが設定される。給電中は、ＣＰＵ２１４により、給電フラグにＳｕｐｐｌｙが設定される。
優先フラグは、優先的に給電される外部デバイスを示す情報である。Ｐｒｉｏｒｉｔｙフラグに対応する外部デバイスは、他の外部デバイスに優先して給電される。なお、優先フラグは、ユーザが操作部２１１を操作することにより、所望の外部デバイスを選択し、設定することができる。連携フラグは、連携動作中の外部デバイスを示す。連携動作としては、外部デバイスとＭＦＰ１０１とがＩＰネットワーク網２１３を介して実行するスキャン／プリント等がある。ＭＦＰ１０１が連携動作を実行中に外部デバイスから受信したデバイスＩＤが、データテーブル上のデバイスＩＤと一致した場合に、ＭＦＰ１０１は、このデバイスＩＤに対応付けて、連携フラグをセットする。ＭＦＰ１０１は、例えば、プリント動作中の外部デバイスに対し、Ｐｒｉｎｔフラグをセットする。
【００２３】
図４は、ＭＦＰ１０１による給電処理を示すシーケンス図である。ＭＦＰ１０１は、給電処理において、外部デバイスへのワイヤレス給電を行う。なお、図４においては、１つの外部デバイスのみを示すが、ＭＦＰ１０１は、複数の外部デバイスと通信を行うことができる。
給電処理は、図３に示すように、関連付け期間（Ｓ３０１、Ｓ３０２、Ｓ３０３）、転送準備期間（Ｓ３０４、Ｓ３０５）及び電力転送期間（Ｓ３０６、Ｓ３０７、Ｓ３０８、Ｓ３０９）の３つの期間の処理に大別される。ＭＦＰ１０１は、関連付け期間、転送準備期間及び電力転送期間を１つのフレームとし、このフレームを繰り返すことにより、ワイヤレス給電を行う。
【００２４】
以下、各ステップの詳細について説明する。
＜関連付け期間＞
Ｓ３０１のＡＲＱ（Ａｓｓｏｃｉａｔｉｏｎ  Ｒｅｑ）処理において、ＣＰＵ２１４は、バス２１２を介し、給電通信部２２２に通信コマンドを発行する。給電通信部２２２は、通信コマンドに基づいて、各外部デバイスに対し、ブロードキャスト通信を行い、受電を希望する外部デバイスへ、給電開始を通知する。
Ｓ３０２のＡＲＳ（Ａｓｓｏｃｉａｔｉｏｎ  Ｒｅｓｐｏｎｓｅ）処理において、ＣＰＵ２１４は、バス２１２を介し、給電通信部２２２によって、受電を希望する外部デバイスから、デバイスＩＤを受信する。ＡＲＳ処理により、ＣＰＵ２１４は、受電を希望する外部デバイスを検知する。
Ｓ３０３のＲＡ（Ｒｅｓｐｏｎｓｅ  Ａｃｋ）処理において、ＣＰＵ２１４は、受け取った各デバイスＩＤから、給電を行う外部デバイスを選択する。そして、ＣＰＵ２１４は、バス２１２を介し、給電通信部２２２から、選択した外部デバイスのデバイスＩＤを返信する。これにより、ＣＰＵ２１４は、外部デバイスに対し給電を了承する。このとき、了承を得られなかった外部デバイスは、次のフレームのＡＲＱ処理を待つ。
【００２５】
＜転送準備期間＞
Ｓ３０４のＤＲＱ（Ｄａｔａ  Ｒｅｑ）処理において、ＣＰＵ２１４は、バス２１２を介し、給電通信部２２２から、給電を行う外部デバイスのデバイスＩＤを送信する。そして、ＣＰＵ２１４は、対象となる外部デバイスに対し、給電を行うために必要な外部デバイスの情報をリクエストする。リクエストする情報としては、電力伝搬周波数、デバイス側が必要な電力、デバイス固有情報等がある。
Ｓ３０５のＲｅｓｐｏｎｓｅ  Ｆｒａｍｅ処理において、ＣＰＵ２１４は、給電通信部２２２よって、リクエストを受けた外部デバイスから各情報を受信し、バス２１２を介し情報を得る。ＣＰＵ２１４は、受信した情報をメモリ２０８に格納する。ＣＰＵ２１４はまた、受信した情報を基に、ワイヤレス給電部２２４による給電を行うためのプログラムを実行する。例えば、ＣＰＵ２１４は、関連付け期間において選択された外部デバイスへの給電時間を算出する。ここで、給電時間は、ＣＰＵ２１４によりワイヤレス給電部２２４からのワイヤレス供給電力、外部デバイスの要求電力、電力転送効率などに基づいて、設定される値である。
【００２６】
＜電力転送期間＞
Ｓ３０６のＴｒａｎｓｆｅｒｒｉｎｇ  Ｐｏｗｅｒ処理において、ＣＰＵ２１４は、バス２１２を介し、ワイヤレス給電部２２４に対し、コマンドを発行し給電を開始する。セットするコマンドは、給電時間及び給電開始のコマンドである。Ｓ３０７のＴｅｒｍｉｎａｔｉｏｎ  ｏｆ  Ｐｏｗｅｒ  ｔｒａｎｓｆｅｒにおいて、給電時間が終了すると、ワイヤレス給電部２２４は給電を終了する。さらに、ＣＰＵ２１４は、バス２１２を介し、給電終了通知をワイヤレス給電部２２４から受ける。ＣＰＵ２１４はまた、給電通信部２２２より、外部デバイスに給電終了を通知する。
Ｓ３０８のＤＡＴＡにおいて、ＣＰＵ２１４は、バス２１２を介し、給電通信部２２２より外部デバイスから、通電終了通知を受けた旨を受ける。またＳ３０８では、ＣＰＵ２１４は、例えば受信電力量、バッテリ充電量などのデータも受信し、これらを給電データとして、メモリ２０８に格納する。Ｓ３０９のＤＡ（Ｄａｔａ  Ａｃｋ）において、ＣＰＵ２１４は、バス２１２を介し、給電通信部２２２から外部デバイスへ、給電データを受けた旨を通知し、フレームを終了する。
ＣＰＵ２１４は、バス２１２を介し、給電通信部２２２からの通信により、電力転送期間の間、外部デバイスから各種情報を得ることができる。すなわち、ＣＰＵ２１４は、Ｓ３０６のＴｒａｎｓｆｅｒｒｉｎｇ  Ｐｏｗｅｒ処理の実行後は、外部デバイスから給電データを受信するステップＳ３０８，Ｓ３０９の処理を適宜実行することができる。これにより、例えば、外部デバイスにおいて不測の事態などが起きた場合には、ＣＰＵ２１４は、外部デバイスからの給電停止等の要求を迅速に受信することができる。すなわち、ＣＰＵ２１４は、外部デバイスへの給電を迅速にストップすることができる。
【００２７】
図５は、関連付け期間（Ｓ３０１、Ｓ３０２、Ｓ３０３）、転送準備期間（Ｓ３０４、Ｓ３０５）及び電力転送期間（Ｓ３０６、Ｓ３０７、Ｓ３０８、Ｓ３０９）を１フレームした、フレームが連続する様子を示す図である。
ＭＦＰ１０１は、それぞれのフレームにおいて、関連付け期間（Ｓ３０１、Ｓ３０２、Ｓ３０３）に認証した異なる外部デバイスに対する給電を行う。ＭＦＰ１０１は、連続したフレームにおいて、それぞれ異なる外部デバイスに給電を行うことで、複数の外部デバイスへの給電を実現する。
【００２８】
図６は、関連付け期間における詳細な処理を示すシーケンス図である。図６を参照しつつ、ＭＦＰ１０１と、外部デバイスＡ，Ｂとの処理について説明する。なおＭＦＰ１０１が通信を行う外部デバイスの数は、本例に限定されるものではない。関連付け期間の処理が開始すると、まず、Ｓ５０１において、ＭＦＰ１０１のＣＰＵ２１４は、給電通信部２２２より外部デバイスに対し、ブロードキャスト通信により、給電開始を通知する。
Ｓ５１１，Ｓ５２１において、それぞれ外部デバイスＡ，Ｂは、ＭＦＰ１０１からブロードキャスト通信による給電開始の情報を受信する。外部デバイスＡ，Ｂは、受電を希望する場合には、Ｓ５１２，５２２の処理に進む。Ｓ５１２，Ｓ５２２において、それぞれ外部デバイスＡ，Ｂは、受電希望通知と共に自身のデバイスＩＤをＭＦＰ１０１に送信する。
【００２９】
Ｓ５０２において、ＭＦＰ１０１のＣＰＵ２１４は、給電通信部２２２より受電を希望する外部デバイスからデバイスＩＤを受信する。受電を希望する外部デバイスが複数存在する場合、ＣＰＵ２１４は、順次デバイスＩＤを受信する（受信処理）。そして、ＣＰＵ２１４は、デバイスＩＤを受信した場合に、デバイスＩＤの送信元の外部デバイスを給電可能な外部デバイスとして特定する（給電可能デバイス特定処理）。ここで、送信元の外部デバイスは、受信したデバイスＩＤにより特定される。
Ｓ５０３において、ＣＰＵ２１４は、受信したデバイスＩＤ（給電可能な外部デバイスのデバイスＩＤ）とデータテーブルに格納されているデバイスＩＤとを比較する。そして、データテーブルに格納されているデバイスＩＤのうち、Ｓ５０２において取得しなかったデバイスＩＤが存在する場合には、取得しなかったデバイスＩＤに対応するレコードをデータテーブルから削除する。
【００３０】
Ｓ５０４において、ＣＰＵ２１４は、データテーブルを参照し、Ｓ５０２において取得したデバイスＩＤがデータテーブルに登録済みであるか否かを判断する。取得したデバイスＩＤが、データテーブルに登録されていない場合、すなわち新たな外部デバイスのデバイスＩＤの場合は、ＣＰＵ２１４は、Ｓ５０５の処理を行う。取得したデバイスＩＤが、データテーブルに登録されている場合、すなわち、既に実行済みのフレームにおいて、既に給電済みの外部デバイスのデバイスＩＤの場合は、ＣＰＵ２１４は、Ｓ５０６の処理を行う。
Ｓ５０５において、ＣＰＵ２１４は、新たなデバイスＩＤのレコードを作成し、これをデータテーブルに追加する。このように、ＣＰＵ２１４は、給電処理のＳ５０５の処理において、外部デバイス（給電可能デバイス）の情報を適宜新たなレコードとして追加し、レコードの更新を行っている。
Ｓ５０５において、ＣＰＵ２１４は、新たなデバイスＩＤを給電対象デバイスとして選択する。このように、ＣＰＵ２１４は、新たな外部デバイスが検出された場合には、新たなデ外部デバイスを優先的に給電対象デバイスとして選択することとする。
【００３１】
Ｓ５０６において、ＣＰＵ２１４は、受信したデバイスＩＤの中から、現フレームで給電を行う外部デバイス、すなわち給電対象デバイスのデバイスＩＤを選択する。給電対象デバイスを選択する処理において、ＣＰＵ２１４は、ＭＦＰ１０１の給電能力と、データテーブルに格納されている各外部デバイスの要求電力とを参照する。より具体的には、ＣＰＵ２１４は、各フレームに処理時間とフレームＩＤを割り当てる。そして、ＣＰＵ２１４は、フレームＩＤを選択することにより、順次給電対象デバイスを選択する。
給電対象デバイスを選択する処理においては、ＣＰＵ２１４は、例えば、ワイヤレス給電部２２４の給電能力が十分にある場合は、先着順、予め登録されている登録順などにより給電対象デバイスを選択する。ＣＰＵ２１４は、また例えば、優先権が設定されている場合は優先順に給電対象デバイスを選択してもよい。
【００３２】
Ｓ５０７において、ＣＰＵ２１４は、給電を認証したことを通知するために給電通信部２２２より給電対象デバイスのデバイスＩＤを認証済みの外部デバイスに送信する。なお、ＣＰＵ２１４は、新たな外部デバイスに対する認証を優先的に行うこととする。以上で、関連付け期間におけるＭＦＰ１０１の処理が完了する。ＭＦＰ１０１は、続いて転送準備期間の処理を行う。
一方、Ｓ５１３，Ｓ５２３において、外部デバイスＡ，Ｂは、デバイスＩＤを受信し、Ｓ５１４，Ｓ５２４の処理を行う。Ｓ５１４，Ｓ５２４において、外部デバイスＡ，Ｂは、受信したデバイスＩＤが自身のデバイスＩＤであるか否かを判定する。
【００３３】
自身のデバイスＩＤの場合は、外部デバイスＡ，Ｂは、関連付け期間の処理を終了し、転送準備期間の処理を行う。自身のデバイスＩＤでない場合は、Ｓ５１１，Ｓ５２１に戻り、外部デバイスＡ，Ｂは、次のフレームの関連付け期間におけるブロードキャスト通信を待つ。
例えば、Ｓ５０６において、ＭＦＰ１０１により外部デバイスＡが選択された場合は、外部デバイスＡは、関連付け期間における処理を完了する。外部デバイスＡは、続いて転送準備期間の処理を行う。またこのとき、外部デバイスＢは、Ｓ５２１の処理に戻り、次のフレームの関連付け期間におけるブロードキャスト通信を待つ。
【００３４】
図７は、転送準備期間における詳細な処理を示すシーケンス図である。図７を参照しつつ、関連付け期間において外部デバイスＡが選択された場合の処理を例に、転送準備期間における処理を説明する。まず、Ｓ６０１において、ＭＦＰ１０１のＣＰＵ２１４は、認証を行い、給電を実行する外部デバイスのデイバスＩＤと共にデバイス情報の要求を給電通信部２２２より送信する。デバイス情報としては、給電を行うための周波数情報や、給電を行う際、外部デバイスＡが要求する要求電力などがある。
Ｓ６１２において、外部デバイスＡは、自身のデバイスＩＤと共にデバイス情報の要求を受信する。外部デバイスＡは、さらに要求されたデバイス情報を送信し、転送準備期間での処理は完了する。
一方、Ｓ６０２において、ＭＦＰ１０１のＣＰＵ２１４は、給電を行う外部デバイスから、必要な情報、すなわちデバイス情報を取得する。
【００３５】
次に、Ｓ６０３において、ＣＰＵ２１４は、取得したデバイス情報を、デバイスＩＤに対応付けてデータテーブルに追加する。すなわち、ＣＰＵ２１４は、データテーブルを更新する。
Ｓ６０４において、ＣＰＵ２１４は、データテーブルを参照し、給電周波数をワイヤレス給電部２２４にセットする。Ｓ６０５において、ＣＰＵ２１４は、データテーブルを参照し、現フレームの給電時間を算出し、ワイヤレス給電部２２４にセットする。以上で、ＭＦＰ１０１の転送準備期間における処理は完了する。なお、給電時間を算出する処理については後述する。
【００３６】
図８は、電力転送期間における詳細な処理を示すシーケンス図である。図８を参照しつつ、関連付け期間において外部デバイスＡが選択された場合の処理を例に、電力転送期間における処理を説明する。Ｓ７０１において、ＭＦＰ１０１のＣＰＵ２１４は、ワイヤレス給電部２２４に対し、給電開始コマンドをセットする。これにより、ＭＦＰ１０１は給電を開始する（給電処理）。これに対し、Ｓ７１１において、外部デバイスＡは、ＭＦＰ１０１からの給電開始を検知する。
続いて、Ｓ７１２において、外部デバイスＡは、ＭＦＰ１０１に対し給電中断を要求するか否かを判断する。例えば、予め定められた条件に合致した場合に、給電中断を要求する。なお、外部デバイスＡには、不測の事態への対応を行うための条件が予め設定されているものとする。
【００３７】
Ｓ７１２において、給電中断を要求しない場合には、外部デバイスＡは、Ｓ７１４の処理に進み、給電終了通知を受信するまで、Ｓ７１２〜Ｓ７１４の処理を繰り返す。Ｓ７１２において、給電中断を要求する場合には、外部デバイスＡは、Ｓ７１３の処理に進む。すなわち、Ｓ７１３において、外部デバイスＡは、ＭＦＰ１０１に中断要求を送信する。続いて、外部デバイスＡは、Ｓ７１４の処理に移行する。
Ｓ７０２において、ＭＦＰ１０１のＣＰＵ２１４は、給電時間の終了をワイヤレス給電部２２４からの割込信号によって検知する。終了を検知した場合は、ＣＰＵ２１４は、Ｓ７０３の処理に移行する。終了を検知していない場合は、ＣＰＵ２１４は、Ｓ７０４の処理に移行する。
【００３８】
Ｓ７０４において、ＣＰＵ２１４は、外部デバイスＡからの給電通信部２２２を介した通信により、給電の中断要求を受信したか否かを判断する。中断要求を受信した場合には、ＣＰＵ２１４は、Ｓ７０５の処理を行う。中断要求を受信しない場合には、ＣＰＵ２１４は、Ｓ７０２の処理に移行し、給電終了まで、処理を継続する。
Ｓ７０５において、ＣＰＵ２１４は、給電の中断要求に基づいて、ワイヤレス給電部２２４に対し給電停止コマンドをセットする。これにより、ワイヤレス給電部２２４による給電が停止する。
【００３９】
給電が終了又は停止した場合は、Ｓ７０３において、ＭＦＰ１０１のＣＰＵ２１４は、給電通信部２２２を介し、外部デバイスに対し給電終了通知を発行し、外部デバイスＡのステータス等のデバイス情報を要求する。ここで、ステータスは、外部デバイスＡが給電可能領域１０６の範囲内に位置するか否かを示す情報であり、データテーブル（図３）のエリアに相当する情報である。
外部デバイスＡにおいては、Ｓ７１３において中断要求を送信した後、Ｓ７１４において、ＭＦＰ１０１から給電終了通知を受信すると、Ｓ７１６の処理に進む。このように、ＭＦＰ１０１は、外部デバイスＡからの要求に応じて、適宜給電を停止することができる。次に、Ｓ７１６において、外部デバイスＡは、ＭＦＰ１０１から要求されたステータスやバッテリ充電状況など、外部デバイスＡのデバイス情報をＭＦＰ１０１に送信する。
【００４０】
Ｓ７０６において、ＭＦＰ１０１のＣＰＵ２１４は、給電通信部２２２を介し、外部デバイスＡのデバイス情報を受信する。Ｓ７０７において、ＣＰＵ２１４は、受信したデバイス情報に基づいて、データテーブルを更新する。すなわち、ＣＰＵ２１４は、外部デバイスＡのデバイスＩＤに対応するエリアやバッテリ充電状況をデータテーブルに書き込む。
なお、データテーブルのエリアに対応するステータスは、外部デバイスＡにおいて決定される。例えば、外部デバイスが、ＭＦＰ１０１から離れた位置に存在する場合には、ワイヤレス給電の効率が悪く、ＭＦＰ１０１から外部デバイスへの給電能力が要求電力よりも小さくなる場合がある。この場合には、外部デバイスＡは、Ｓ７０６において、ステータス「ＯＵＴ」を返す。一方、ＭＦＰ１０１により外部デバイスの要求電力に応じた給電が障害なく実行された場合には、外部デバイスＡは、ステータス「ＩＮ」を返す。
Ｓ７０８において、ＣＰＵ２１４は、デバイス情報を受信した旨を外部デバイスＡに通知する。以上により、電力転送期間におけるＭＦＰ１０１の処理が完了する。また、Ｓ７１７において、外部デバイスＡは、ＭＦＰ１０１からデバイス情報の受信通知を受け、転送準備期間の処理を完了する。
【００４１】
次に、転送準備期間における処理のＳ６０５において、ＣＰＵ２１４が、データテーブルを参照し、給電対象となる外部デバイスの給電時間を算出する処理について説明する。例えば、ワイヤレス給電部２２４の給電能力が、１０００ｍＷ／ｍｉｎと設定された場合の割り付け処理を説明する。
例えば、デバイスＩＤ０３，０２，０５の３つの外部デバイスがデータテーブルに登録されているとする。この場合には、ＣＰＵ２１４は、それぞれのデバイスＩＤからデータテーブル（図３）を参照し、以下のようにフレームの割り付けを行う。
フレーム１：デバイスＩＤ０３  １００ｍＷ／ｍｉｎ  ２０秒給電
フレーム２：デバイスＩＤ０２  ２００ｍＷ／ｍｉｎ  ２０秒給電
フレーム３：デバイスＩＤ０５  ２００ｍＷ／ｍｉｎ  ２０秒給電
【００４２】
この場合、３つの外部デバイスへの給電の合計の電力量は、（式１）より５００ｍＷ／ｍｉｎとなる。
１００＋２００＋２００＝５００（ｍＷ／ｍｉｎ）      ・・・（式１）
合計電力量（５００ｍＷ／ｍｉｎ）は、ワイヤレス給電部２２４の給電能力（１０００ｍＷ／ｍｉｎ）以下である。
したがって、ＣＰＵ２１４は、上記の通り各フレームの割り付けを行い、デバイスＩＤ０３の外部デバイスの給電時間を設定する。これにより、フレーム１，２，３，１，・・・の順にフレーム処理が実行され、給電が行われる。図９は、上記フレーム割り付けの結果を示す概略図である。このように、各フレームの処理が連続して実行される。
【００４３】
なお、上記処理においては、関連付け期間、転送準備期間及び電力転送期間を含めて２０秒としている。しかし、１フレームあたりの電力転送期間が１フレームの９０％以上の期間を占めるので、他の例としては、ＣＰＵ２１４は、電力転送期間を２０秒として給電時間を算出してもよい。
【００４４】
また、図３に示すデバイスＩＤ０３，０２，０４の３つの外部デバイスがデータテーブルに登録されているとする。この場合には、ＣＰＵ２１４は、以下のようにフレームの割り付けを行う。
フレーム１：デバイスＩＤ０３  １００ｍＷ／ｍｉｎ  ２０秒給電
フレーム２：デバイスＩＤ０２  ２００ｍＷ／ｍｉｎ  ２０秒給電
フレーム３：デバイスＩＤ０４  ８００ｍＷ／ｍｉｎ  ２０秒給電
この場合、３つの外部デバイスへの給電の合計の電力量は、（式２）より１１００ｍＷ／ｍｉｎとなる。
１００＋２００＋８００＝１１００（ｍＷ／ｍｉｎ）      ・・・（式２）
合計電力量（１１００ｍＷ／ｍｉｎ）は、ワイヤレス給電部２２４の給電能力（１０００ｍＷ／ｍｉｎ）以上の値である。したがって、外部デバイスの１つを給電対象外にする必要がある。例えば、ＣＰＵ２１４は、デバイスＩＤ０３を給電対象外として選択したとする。この場合、以下のように各フレーム割り振りと給電時間が設定される。
フレーム１：デバイスＩＤ０２  ２００ｍＷ／ｍｉｎ  ３０秒給電
フレーム２：デバイスＩＤ０４  ８００ｍＷ／ｍｉｎ  ３０秒給電
なお、デバイスＩＤ０３の外部デバイスを対象としたい場合には、ユーザは、操作部２１１からワイヤレス給電部２２４の給電能力を１１００ｍＷ／ｍｉｎに上げる設定を行うことができる。これにより、デバイスＩＤ０３の外部デバイスを給電対象とすることができる。
【００４５】
また、ＣＰＵ２１４が、デバイスＩＤ０４の外部デバイスを給電対象外として選択するとする。この場合には、以下のように各フレームの割り付けと給電時間が設定される。
フレーム１：ＩＤ０３  １００ｍＷ／ｍｉｎ  ３０秒給電
フレーム２：ＩＤ０２  ２００ｍＷ／ｍｉｎ  ３０秒給電
２つの外部デバイスへの給電の合計の電力量は、（式３）より３００ｍＷ／ｍｉｎとなる。
１００＋２００＝３００（ｍＷ／ｍｉｎ）      ・・・（式３）
この場合、ユーザは、操作部２１１よりワイヤレス給電部２２４の給電能力を３００ｍＷ／ｍｉｎに下げる設定を行うことができる。これにより、ワイヤレス給電部２２４から必要以上の電力が供給されるのを防ぎ、省電力化を図ることができる。
なお、上記処理において、給電対象外の外部デバイスが選択された場合には、ＣＰＵ２１４は、データテーブルにおいて、選択された外部デバイスに対応する給電フラグにＳｔｏｐフラグを設定する。
【００４６】
また、ユーザが操作部２１１より給電対象外の外部デバイスを選択し、給電設定をすることもできる。この場合には、ＣＰＵ２１４は、ワイヤレス給電部２２４の給電能力１０００ｍＷ／ｍｉｎの設定を継続しながら、例えば、以下のように、フレーム割り付けを調整する。
フレーム１：ＩＤ０３  １００ｍＷ／ｍｉｎ  ３０秒給電
フレーム２：ＩＤ０４  ８００ｍＷ／ｍｉｎ  ３０秒給電
フレーム３：ＩＤ０２  ２００ｍＷ／ｍｉｎ  ３０秒給電
フレーム４：ＩＤ０４  ８００ｍＷ／ｍｉｎ  ３０秒給電
すなわち、ＣＰＵ２１４は、２分間で、２０００ｍＷ以下の給電設定を行い、ワイヤレス給電部２２４の給電能力１０００ｍＷ／ｍｉｎの設定を超えないようなフレーム割り付けを調整する。
【００４７】
以上のように、ＣＰＵ２１４は、データテーブルを常に最新のデータに更新するような処理を行いつつ、データテーブルを参照して、フレーム割り付けを行う。
【００４８】
ＣＰＵ２１４はまた、データテーブルを参照し、各外部デバイスへの給電情報を操作部２１１へ表示するための処理を行う。図１０は、操作部２１１を示す図である。操作部２１１は、操作画面１００１と、オプションボタン１００２とを有している。操作画面１００１は、液晶操作タッチパネルである。例えば、ユーザによりオプションボタン１００２が操作されると、操作画面１００１が遷移する。ユーザは、操作画面１００１において、様々な設定を行うことができる。
例えば、図示はしていないが、オプションボタン１００２より操作画面１００１を遷移させると、操作画面１００１には、給電情報表示設定ボタンが表示される。給電情報表示設定ボタンは、ＭＦＰ１０１が給電情報の表示の指示をユーザから受け付けるボタンである。
【００４９】
以下に、各外部デバイスへの給電情報を操作部２１１へ表示する給電情報表示処理について説明する。ユーザにより、操作部２１１から、給電情報表示ボタンが選択されると、操作制御部２０９よりＣＰＵ２１４に対して、給電情報表示要求がバス２１２を介して伝達される。
ＣＰＵ２１４は、データテーブルより情報表示に必要な情報を読み取り、図１１に示すような表示データを作成する。表示データには、データテーブルに登録されているデバイスＩＤが含まれている。表示データには、さらにデバイスＩＤに対応するバッテリ充電状況と、給電状況と、給電エリアと、優先フラグと、連携フラグとが含まれている。
【００５０】
前述したように、バッテリ充電状況は％単位で表示される。給電状況は、データテーブルの給電フラグに対応する。給電中はＳｕｐｐｌｙ、給電ストップ中はＳｔｏｐが、給電情報として表示される。
給電エリアは、データテーブルのエリアに対応する。給電可能領域１０６内に位置する外部デバイスに対応する給電エリアには、ＩＮが表示される。給電可能領域１０６の範囲外に位置する外部デバイスに対応する給電エリアには、ＯＵＴが表示される。
【００５１】
優先フラグは、データテーブルの優先フラグに対応する。ユーザにより優先的に給電したい外部デバイスとして設定された外部デバイスの優先フラグには、Ｐｒｉｏｒｉｔｙが表示される。
連携フラグは、データテーブルの連携フラグに対応する。連携フラグは、外部デバイスがＭＦＰ１０１と連携している状態を表示する。例えば、外部デバイスがプリントジョブ中の場合はＰｒｉｎｔ、スキャンジョブの場合はＳｃａｎ等が表示される。
ＣＰＵ２１４は、作成した表示データを、バス２１２を介して操作制御部２０９に転送し、表示コマンドを発行する。操作制御部２０９は、表示コマンドに基づいて、表示データを操作部２１１の操作画面１００１に表示する。
【００５２】
図１２は、操作画面１００１に表示された表示データ画面の一例を示す図である。図１２に示す表示データ画面１２０２は、図１１に示す表示データに対応している。図１１に示す表示データは、図１２に示すように操作部２１１に表示される。
表示データ画面１２０２は、デバイスＩＤ０１の外部デバイスの状態として、バッテリ受電状況５０％、給電はＳｔｏｐ状態、給電可能領域１０６外に位置し、優先フラグ、連携フラグはないという状態を表示している。
【００５３】
表示データ画面１２０２また、デバイスＩＤ０２の外部デバイスの状態として、バッテリ受電状況４０％、給電可能領域１０６内に位置し、給電はＳｕｐｐｌｙ状態、優先フラグＰｒｉｏｒｔｙが設定され、連携フラグはないという状態を表示している。
表示データ画面１２０２はまた、デバイスＩＤ０４の外部デバイスの状態として、バッテリ受電状況８０％、給電可能領域１０６内に位置し、給電はＳｕｐｐｌｙ状態、優先フラグはないという状態を表示している。さらに、表示データ画面１２０２は、デバイスＩＤ０４の外部デバイスの状態として、連携フラグＰｒｉｎｔと表示し、この外部デバイスがＭＦＰ１０１と連携状態にあることを表示している。
【００５４】
ユーザは、タッチパネル形式の操作画面１００１を操作することにより、希望のデバイスＩＤを選択し、優先フラグの設定など、各種設定を行うことができる。また、ユーザは、操作画面１００１を操作することにより、給電可能領域１０６内の外部デバイスに対して、給電開始や給電停止等の設定を行うことができる。操作画面１００１において設定が変更されると、変更指示が操作制御部２０９、バス２１２を介して、ＣＰＵ２１４に伝えられ、制御される。
さらに、ＣＰＵ２１４は、給電能力変更条件に合致する場合には、操作画面１００１に表示データ画面１２０２とともに給電能力変更キー１２０１を表示する。ここで、給電能力変更キー１２０１は、給電可能領域１０６の範囲、すなわちワイヤレス給電部２２４の給電能力の変更指示を受け付けるためのユーザインタフェースである。なお、給電能力変更条件については後述する。
【００５５】
以下、ワイヤレス給電部２２４の給電能力を変更することにより、給電可能領域１０６の範囲を最適化する処理について説明する。ワイヤレス給電部２２４の給電能力には、イニシャル時にはデフォルトの値が設定されている。また、操作部２１１は、ユーザによる給電能力の変更指示の受け付を行うことができない。このため、ユーザからの変更指示に応じた、ワイヤレス給電部２２４の給電能力を変更する処理は行われない。
ただし、上述のように、給電能力変更条件に合致する場合には、操作部２１１は、ユーザによる給電能力の変更指示を受け付け可能とする。これにより、本実施形態にかかるＭＦＰ１０１は、ユーザによる変更指示に応じて、給電能力を変更することができる。
【００５６】
ここで、給電能力変更条件とは、外部デバイスに関する条件である。ＣＰＵ２１４は、ＭＦＰ１０１が給電処理において外部デバイスから受信した情報に基づいて、外部デバイスの状態が給電能力変更条件に合致するか否かを判定する。より具体的には、以下に示す５つの条件が予めＭＦＰ１０１設定されているものとする。
条件１  通信のみ可能なデバイスしか存在しない場合。
条件２  給電エリア外に、ＭＦＰと連携中のデバイスが存在する場合。
条件３  給電エリア内に給電可能数を超えるデバイスが存在する場合。
条件４  給電エリア内に給電可能なデバイスが１個のみ存在する場合。
条件５  給電優先デバイスが存在する場合。
なお、以下、本実施形態においては、条件２の給電可能数を５とする例について説明する。
ＣＰＵ２１４は、給電処理において外部デバイスから受信した情報に基づいて、外部デバイスの状態が上記５つの条件のいずれかに合致するか否かを判定する。そして、合致する場合には、ＣＰＵ２１４は、給電能力変更キー１２０１を表示する。また、合致しない場合には、ＣＰＵ２１４は、給電能力変更キー１２０１を表示しない。
【００５７】
まず、給電能力変更条件に合致しない場合について説明する。例えば、ＣＰＵ２１４は、データテーブルに基づいて、図１３に示すような表示データを作成したとする。この場合には、ＣＰＵ２１４は、データテーブルを参照し、外部デバイスの状態が給電能力変更条件に合致しないと判断する。このため、図１４に示すように、操作画面１００１には、図１３の表示データに対応する表示データ画面１２０３のみが表示され、給電能力変更キー１２０１は表示されない。
次に、給電能力変更条件に合致する場合について説明する。例えば、ＣＰＵ２１４は、データテーブルに基づいて、図１５に示すような表示データを作成したとする。この場合には、ＣＰＵ２１４は、データテーブルを参照し、外部デバイスの状態が条件１に合致すると判断する。このため、図１６に示すように、操作画面１００１には、図１５の表示データに対応する表示データ画面１２０４とともに給電能力変更キー１２０１を表示する。
ユーザは、給電能力変更キー１２０１を操作することにより、ワイヤレス給電部２２４の給電能力を変更することにより、給電可能領域１０６の範囲を変更することができる。例えば、図１５に示す例においては、条件１に合致しているため、給電能力を高めることにより、給電可能領域１０６を拡大することができる。これにより、ＭＦＰ１０１からより離れた位置に存在する外部デバイスへの給電が可能となる。なお、給電能力変更キー１２０１により変更された給電能力は、給電対象となる外部デバイスが変更後の給電可能領域１０６から離脱した場合に、ＣＰＵ２１４によりデフォルト値に変更される。
【００５８】
図１７は、表示データ画面を表示する表示処理のフローチャートを示す図である。Ｓ１７０１において、ＣＰＵ２１４は、操作部２１１からユーザにより給電情報表示ボタンが選択されたか否かを判断する。給電情報表示ボタンが選択された場合には、ＣＰＵ２１４は、表示データ画面の生成のための処理を開始し、Ｓ１７０２の処理に進む。
Ｓ１７０２において、ＣＰＵ２１４は、データテーブルに基づいて、表示データを作成する。次に、Ｓ１７０３において、ＣＰＵ２１４は、外部デバイスの状態が、給電能力変更条件に合致するか否かを判定する。給電能力変更条件に合致する場合には、ＣＰＵ２１４は、Ｓ１７０４へ処理を進める。給電能力変更条件に合致しない場合は、ＣＰＵ２１４は、Ｓ１７０５へ処理を進める。
【００５９】
Ｓ１７０４において、ＣＰＵ２１４は、給電能力変更ボタンを操作画面１００１に表示する。次に、Ｓ１７０５において、ＣＰＵ２１４は、Ｓ１７０２において作成した表示データに基づき、表示データ画面を操作画面１００１に表示する。ここで、表示データ画面は、給電可能な外部デバイスを示している。
すなわち、Ｓ１７０５は、表示制御処理の一例である。また、Ｓ１７０４において給電能力変更ボタンが表示され、Ｓ１７０５において表示データ画面が表示された表示画面は、変更画面の一例である。
【００６０】
Ｓ１７０６において、ＣＰＵ２１４は操作部２１１において、ユーザが新たな操作ボタンを操作したか否かを判定する。操作ボタンの操作があったと判定した場合には、ＣＰＵ２１４は、Ｓ１７０７へ処理を進める。Ｓ１７０７において、ＣＰＵ２１４は、所定の操作以外の操作である他の操作がなされたと判定した場合には、表示処理を完了する。
Ｓ１７０７において、ＣＰＵ２１４は、所定の操作がなされたと判定した場合には、Ｓ１７０８へ処理を進める。Ｓ１７０８において、ＣＰＵ２１４は、選択された操作ボタンに対応する処理を実行する。操作ボタンに対応する処理としては、所望の外部デバイスに対する、優先フラグ設定又は解除、所望の外部デバイスに対する給電の開始及び停止などがある。また、操作画面１００１において、給電能力変更ボタンが表示されている場合には、給電能力の変更の処理も操作ボタンに対応する処理に含まれる。
【００６１】
例えば、ユーザから、所望の外部デバイスの選択入力がなされ、選択された外部デバイスに対する給電の開始指示が入力されたとする。この場合には、Ｓ１７０８において、ＣＰＵ２１４は、給電対象の外部デバイスの選択入力を受け付ける（入力受付処理）。そして、ＣＰＵ２１４は、ユーザにより選択入力された外部デバイスを給電対象の外部デバイス（給電対象デバイス）として特定する（給電対象デバイス特定処理）。
また例えば、ユーザから所望の外部デバイスの選択入力がなされ、選択された外部デバイスに対する給電の終了指示が入力されたとする。この場合には、Ｓ１７０８において、ＣＰＵ２１４は、給電対象の外部デバイスの選択入力を受け付ける。そして、ＣＰＵ２１４は、選択入力された外部デバイスを給電対象の外部デバイス（給電対象デバイス）から削除する（給電対象デバイス特定処理）。
【００６２】
また例えば、給電能力変更ボタンが表示された状態において、ユーザにより給電能力変更ボタンが操作され、変更後の給電能力の値が指定されたとする。この場合には、Ｓ１７０８において、ＣＰＵ２１４は、ユーザにより入力された変更後の給電能力の値を受け付ける。そして、ワイヤレス給電部２２４の給電能力をユーザにより入力された変更後の給電能力に変更する（電力量変更処理）。ここで、ワイヤレス給電部２２４の給電能力は、給電の際の電力量の値であり、Ｓ１７０７の処理は、入力受付処理の一例であり、Ｓ１７０８の処理は、電力量変更処理の一例である。
続いて、Ｓ１７０９において、ＣＰＵ２１４は、実行した処理結果に応じて、データテーブルを更新し、Ｓ１７０３へ進む。
【００６３】
以上のように、本実施形態にかかるＭＦＰ１０１は、表示データ画面を表示することにより、ユーザから給電を希望する外部デバイスの選択を受け付け、ユーザによる選択に基づいて、給電対象の外部デバイスを特定することができる。さらに、ＭＦＰ１０１は、ユーザから給電能力の変更指示を受け付け、変更指示に基づいて、給電能力を変更することができる。したがって、ＭＦＰ１０１は、ユーザの希望に沿った給電を行うことができる。さらに、ＭＦＰ１０１は、ユーザが希望しない給電や、不効率な給電により不要な電力が消費されるのを防ぐことができる。
【００６４】
本実施形態にかかるＭＦＰ１０１は、操作画面１００１に給電可能デバイスを示す表示データ画面を表示し、ユーザは、表示データ画面において、給電対象デバイスを選択することとした。ただし、ＭＦＰ１０１は、操作画面１００１への給電可能デバイスの表示は行わなくともよい。例えば、ユーザが、外部デバイスに対する給電を希望する、又は希望しない場合がある。この場合には、ユーザは、表示データ画面を参照することなく、希望対象とする外部デバイスに対する給電の開始又は終了の指示を、操作部２１１を介して入力すればよい。この場合、ＣＰＵ２１４は、操作部２１１への入力に基づいて、給電対象デバイスを特定すればよい。
また、他の例としては、ＣＰＵ２１４は、外部デバイスの状態が給電能力変更条件に合致する場合には、ユーザからの指示によらず、自動的に給電能力を変更してもよい。例えば、条件１に合致する場合には、ＣＰＵ２１４は、電力量を所定量だけ増加することとしてもよい。
【００６５】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００６６】
以上、上述した各実施形態によれば、電子データと手書きデータとを一元管理する仕組みを提供することができる。
【００６７】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2014135862.tif 000003
【図２】
2014135862.tif 000004
【図３】
2014135862.tif 000005
【図４】
2014135862.tif 000006
【図５】
2014135862.tif 000007
【図６】
2014135862.tif 000008
【図７】
2014135862.tif 000009
【図８】
2014135862.tif 000010
【図９】
2014135862.tif 000011
【図１０】
2014135862.tif 000012
【図１１】
2014135862.tif 000013
【図１２】
2014135862.tif 000014
【図１３】
2014135862.tif 000015
【図１４】
2014135862.tif 000016
【図１５】
2014135862.tif 000017
【図１６】
2014135862.tif 000018
【図１７】
2014135862.tif 000019